(57)【要約】【課題】  型枠工事において、セパレーターのくびれ部で確実に折断できるセパ折棒を提供する。【解決手段】  本体胴部２と、該本体胴部２の先端に延設された挿入口３ａと、該本体胴部２の基端に延設された把持部４が一体形成されており、前記挿入口３ａは中空であり、前記セパレーターに緩挿されたカップの内面底部近傍まで緩嵌できるように、テーパー３１に形成されている。また、前記本体胴部の両端に前記挿入口が設けられている。また、前記挿入口は、先端から本体胴部に向かって、一対の切欠き又は凹溝が対向して所定長で設けられている。また、クロムモリブデン鋼、工具鋼又はステンレス鋼のいずれかで作製されている。【選択図】図２
0003201046.tif 000002
【実用新案登録請求の範囲】
【請求項１】
型枠工事において、硬化したコンクリートの表面から突出したセパレーターの突出部を折断する工具であって、
本体胴部と、該本体胴部の先端に延設された挿入口と、該本体胴部の基端に延設された把持部が一体形成されており、
前記挿入口は中空であり、前記セパレーターに緩挿されたカップの内面底部近傍まで緩嵌できるように、テーパーに延設して形成されていることを特徴とするセパ折棒。
【請求項２】
前記本体胴部の両端に前記挿入口が設けられていることを特徴とする請求項１に記載のセパ折棒。
【請求項３】
前記挿入口は、先端から本体胴部に向かって、一対の切欠き又は凹溝が対向して所定長で設けられていることを特徴とする請求項１又は２に記載のセパ折棒。
【請求項４】
前記セパ折棒は、クロムモリブデン鋼、工具鋼又はステンレス鋼のいずれかで作製されていることを特徴とする請求項１〜３のいずれかに記載のセパ折棒。
【考案の詳細な説明】
【技術分野】
【０００１】  本考案は、型枠工事において、打設されたコンクリート壁面から突出するセパレーターの突出部を折断（折り曲げてねじ切ること）するためのセパ折棒に関するものである。
【背景技術】
【０００２】  型枠用のセパレーターは、建築現場の型枠工事において、型枠堰板と支保工で形成された型枠をコンクリートの側圧に対して所定の寸法を保持するための仮設金物である。代表的なセパレーターの外形を図１に示す。この図において、図１（ａ）は座金付きのセパレーターであり、図１（ｂ）は金属製カップ付きのセパレーターである。【０００３】  型枠は、コンクリートを打設して、硬化した後に解体される。型枠を取り外した後のコンクリートは、図５に示すように表面からセパレーターのネジ部分が突出しているため、この突出部分を除去する必要がある。従来、コンクリート表面より露出している突出部分（カップ及びネジ部）は、ハンマーで叩き折るか、セパ折棒に差し込んでねじ切ることで処理されてきた。（特許文献１〜２参照）。セパ折棒を使用する場合は、図５に示すようにセパ折棒の先端に形成された挿入口にセパレーターのネジ部分を挿入し、上下左右に折曲してねじ切るようにして折断していた。
【先行技術文献】
【特許文献】
【０００４】
【特許文献１】  実開昭５８−１８１４７２号公報
【特許文献２】  実開昭６１−１７８６７８号公報
【考案の概要】
【考案が解決しようとする課題】
【０００５】  セパレーターには、折断予定位置としてくびれ部が形成されているが、従来のセパ折棒を使用した場合、セパ折棒の挿入口の先端（折り曲げ部）と、くびれ部の間に１０〜１５ｍｍの間隙が生じるため、くびれ部の手前で折断されたり、セパレーターが湾曲してしまうことがある。この場合は、カップの先端側にセパレーターの一部又は全部が残存し、カップ及びネジ部の除去が不十分になるという問題が生じていた。
【課題を解決するための手段】
【０００６】  前記課題を解決するために、本考案のセパ折棒は、本体胴部と、該本体胴部の先端に延設された挿入口と、該本体胴部の基端に延設された把持部が一体形成されており、前記挿入口は、セパレーターに緩挿されたカップの内面底部近傍まで緩嵌可能なように、テーパー状に延設されていることを特徴としている。【０００７】  本考案のセパ折棒は、前記本体胴部の両端に挿入口が設けられている。また、前記挿入口は、先端から本体胴部に向かって、一対の切欠き又は凹溝が対向して所定長で設けられている。さらに、少なくとも前記挿入口は、クロムモリブデン鋼、工具鋼又はステンレス鋼のいずれかで作製されている。
【考案の効果】
【０００８】  型枠工事において、硬化したコンクリートの表面から突出したセパレーターの端部は、通常、カップの底部近傍に折断予定位置としてくびれ部が形成されているが、本考案のセパ折棒を使用すれば、挿入口の先端がカップの内面底部近傍まで挿入されるので、ねじれ点がくびれ部の近傍となり、確実にくびれ部で折断することが出来る。また、本考案のセパ折棒はクロムモリブデン鋼、工具鋼又はステンレス鋼のいずれかを用いており、焼入性、強靭性及び耐摩耗性に優れているので、繰り返し使用しても挿入口の変形や破損がなく耐久性に優れている。また、両端部に挿入口を設けたセパ折棒は、サイズの異なるセパレーター、例えば、９ｍｍ用と１０ｍｍ用に使用することができるので、２種類のセパ折棒を購入することなく、１本で共用できるので経済的である。
【図面の簡単な説明】
【０００９】
【図１】  セパレーターの正面図であり、（ａ）は座金付きのセパレーター、（ｂ）はカップ付きのセパレーターを示したものである。
【図２】  本考案の第一実施形態の一例を示したセパ折棒であり、（ａ）は正面図、（ｂ）はＡ矢視図，（ｃ）は他の実施例を示すＡ矢視図である。
【図３】  本考案の他の実施形態を示したセパ折棒であり、（ａ）は正面図、（ｂ）はＢ矢視図である。
【図４】  本考案の第二実施形態の一例を示したセパ折棒であり、（ａ）は正面図、（ｂ）はＣ矢視図、（ｃ）はＤ矢視図である。
【図５】  従来のセパ折棒の使用状態を示した説明図である。
【図６】  本考案のセパ折棒の使用状態を示した説明図である。
【考案を実施するための形態】
【００１０】  以下、本考案の実施形態について図面を参照して説明する。図１は一般的なセパレーターの正面図であり、（ａ）は座金付きのセパレーター、（ｂ）はカップ付きのセパレーターを示したものである。図１（ａ）において、セパレーター１０ａの両端部に、先端側に向けてそれぞれ、くびれ部１１、座金１２、座金抜け止め１３、ネジ１４が設けられている。また、図１（ｂ）において、セパレーター１０ｂの両端部に、先端側に向けてそれぞれ、くびれ部１１、カップ１５、カップ抜け止め１６、ネジ１４が設けられている。前記セパレーター１０ａ、１０ｂはコンクリートの壁厚に対応して、１００ｍｍから１０００ｍｍ壁厚長、直径が９ｍｍ、１０ｍｍ及び１２ｍｍがあり、材質は主に一般構造用鋼が用いられている。
【００１１】  図２は、本考案の第一実施形態の一例を示したセパ折棒であり、（ａ）は正面図、（ｂ）は挿入口に切欠きを設けたＡ矢視図であり、（ｃ）は、挿入口に凹溝を設けたＡ矢視図である。図２において、セパ折棒１ａは、繰り返し使用しても変形や破損しない耐久性に優れたものとするために、焼入性、強靭性及び耐摩耗性に優れたクロムモリブデン鋼、工具鋼又はステンレス鋼のいずれかで作製されており、本体胴部２と、該本体胴部２の先端に延設された挿入口３ａと、該本体胴部２の基端に延設された把持部４が一体形成されている。
【００１２】  前記挿入口３ａは、中空であり本体胴部２の先端側に延設されており、先端３２に向けてテーパー３１に形成されている。挿入口３ａを先端３２に向けてテーパー３１に形成することで、挿入口３ａの先端３２をカップ１５の内面底部近傍まで挿入できるため、くびれ部１１と前記先端３２との距離が近接し、セパレーター１０ｂの突出部（カップ内面底部より先端側、以下同様）１７が折断し易くなる、また、セパ折棒１ａを上下左右に揺動する際、揺動角度を充分確保することが出来るので、折断が容易となる。前記セパレーター１０ｂの外周部には、一対のカップ抜け止め１６が、該カップ１５の先端側に対向して形成されているので、この一対のカップ抜け止め１６を挿入口３ａに挿入させるため、前記挿入口３ａの円周には先端３２から本体胴部２に向かって、一対の切欠き３３又は凹溝３４が所定長で設けられている。なお、前記切欠き３３に代えて凹溝３４とすれば、セパレーター１０ｂの突出部１７を繰り返し折断する際に、挿入口３ａの耐久性を更に高めることが出来る。
【００１３】  前記把持部４は、セパレーター１０ｂの突出部１７を折断するときに手等で把持する部分であり、本体胴部２の基端側に延設されている。この把持部４は、手等で把持した際の滑り止めとしてローレット加工を施してもよいが、本実施形態ではゴム又はプラスチック製の把持カバー５が被嵌されている。
【００１４】  図３は、本考案の他の実施形態を示したセパ折棒１ｂであり、（ａ）は正面図、（ｂ）はＢ矢視図である。図２に示す前記第一実施形態との相違点は、前記第一実施形態は挿入口３ａの円周に先端から本体胴部２に向かって、一対の切欠き３３又は凹溝３４が所定長で設けられているのに対して、図３に示す他の実施形態の挿入口３ｂでは、一対の切欠き３３又は凹溝３４が設けられていない点において相違している。その他の機能や構成は前記第一実施形態と同様であるため説明は省略する。
【００１５】  図４は、本考案の第二実施形態の一例を示したセパ折棒１ｃであり、（ａ）は正面図、（ｂ）はＣ矢視図、（ｃ）はＤ矢視図である。図４において、セパ折棒１ｃは、本体胴部２と、該本体胴部２の両端に延設された挿入口３ａ、３ｂが一体形成されている。両端に形成された前記挿入口３ａ、３ｂは、通常、口径が異なって形成（例えば、９ｍｍと１０ｍｍ）されており、先端に向けてテーパーに形成されている。前記一方の挿入口３ａは図４（ｂ）に示すように一対の切欠き３３又は凹溝３４が形成されており、他方の挿入口３ｂは図４（ｃ）に示すように一対の切欠き３３又は凹溝３４は形成されていない。なお、両端の挿入口に切欠き又は凹溝を設けること、片側のみに切欠き又は凹溝を設けること、あるいは両側の挿入口に切欠き又は凹溝を設けないことは適宜変更が可能な設計事項である。把持部４ａは本体胴体２と挿入部３ａ又は３ｂの間に設けており、手で把持した際の滑り止めとしてローレット加工６が施されている。なお、上記記載以外の事項は、前記第一実施形態と同様であるため説明は省略する。
【００１６】  図５において、（ａ）は、従来のセパ折棒の使用状態を示した説明図であり、（ｂ）はＥ部拡大図である。図５において、２０はコンクリート表面、１０ｂはカップ付セパレーター、１５はカップ、１１はくびれ部である。１６はカップ抜け止め、１４はネジである。セパ折棒を使用する場合は、セパ折棒の先端部に延設された挿入口にセパレーターの突出部を挿入した後、前記セパ折棒の把持部を手等で把持し、上下左右に揺動して折断する。しかし、カップ付きセパレーター１０ｂの場合、折断予定位置としてくびれ部１１が形成されているが、前記セパ折棒の挿入口の先端３２とくびれ部１１の間隙Ｘが１０ｍｍ〜１５ｍｍ離間しているため、くびれ部１１の手前で折断されたり、湾曲して折断できない場合がある。この場合はカップ１５内にセパレーター１０ｂの突出部の一部又は全部が残り、該突出部の除去ができなくなる。
【００１７】  図６において、（ａ）は、本考案のセパ折棒１ａの使用状態を示した説明図であり、（ｂ）はＦ部拡大図である。セパ折棒は図２に示した第一実施形態のセパ折棒１ａを参照して説明する。図６において、２０はコンクリート表面、１０ｂはカップ付セパレーター、１５はカップ、１１はくびれ部である。１６はカップ抜け止め、１４はネジである。セパ折棒１ａを使用する場合は、前記と同様に、セパ折棒１ａの先端部に延設された挿入口３ａにセパレーター１０ｂの突出部を挿入した後、前記セパ折棒１ａの把持部を手で把持し、上下左右に揺動して折断している。
【００１８】  この場合、セパ折棒１ａの挿入口３ａの先端３２が、カップ１５の内側底部近傍に近接するまで挿入される。このとき、前記挿入口３ａの先端３２とくびれ部１１の間隙Ｙが近接しているので、確実にくびれ部１１で折断することが出来る。また、挿入口３ａが先端に向けてテーパーに形成されているので、セパ折棒１ａを上下左右に揺動する際に、揺動角度が充分に確保でき折断が容易となる。
【産業上の利用可能性】
【００１９】  本考案のセパ折棒によれば、従来品のセパ折棒に比べて、きわめて容易にセパレーターの突出部を折断することが出来るだけでなく、耐久性に優れているので、型枠工事において、長期間にわたり使用することが出来る。
【符号の説明】
【００２０】  １ａ、１ｂ、１ｃ  セパ折棒
２  本体胴部
３ａ，３ｂ，３ｃ  挿入口
４、４ａ  把持部
５  把持カバー
６  ローレット加工
１０ａ、１０ｂ  セパレーター
１１  くびれ部
１２  座金
１３  座金抜け止め
１４  ネジ
１５  カップ
１６  カップ抜け止め
１７  突起部（くびれ部より先端側）
２０  コンクリート表面
３１  テーパー
３２  先端
３３  切欠き
３４  凹溝
Ｘ，Ｙ  間隙
【図１】
0003201046.tif 000003
【図２】
0003201046.tif 000004
【図３】
0003201046.tif 000005
【図４】
0003201046.tif 000006
【図５】
0003201046.tif 000007
【図６】
0003201046.tif 000008